(57)【要約】【課題】ワイヤーハーネス及びシートを、より少ない作業工数でパネルに取付けることができるようにすることを目的とする。【解決手段】ワイヤーハーネス付パネル１０は、パネル（例えば、ドアパネル１２）と、パネルの一主面側に配設されるワイヤーハーネス２０と、パネルの一主面側に配設されるシート（例えば、サービスホールカバー３０、防音シート４０Ａ、４０Ｂ）と、保持部材６０とを備える。保持部材６０は、パネルに固定可能な固定部と、ワイヤーハーネス２０及びシートをパネルに向けて押え込む押え込み部とを含み、ワイヤーハーネス２０及びシートをパネルの一主面側で保持する。【選択図】図１
2015050855.tif 000002
【特許請求の範囲】
【請求項１】
パネルと、
前記パネルの一主面側に配設されるワイヤーハーネスと、
前記パネルの一主面側に配設されるシートと、
前記パネルに固定可能な固定部と、前記ワイヤーハーネス及び前記シートを前記パネルに向けて押え込む押え込み部とを含み、前記ワイヤーハーネス及び前記シートを前記パネルの一主面側で保持する保持部材と、
を備えるワイヤーハーネス付パネル。
【請求項２】
請求項１記載のワイヤーハーネス付パネルであって、
前記シートは、防水シート、防音シート及び断熱シートのうちの少なくとも１つを含む、ワイヤーハーネス付パネル。
【請求項３】
請求項１又は請求項２記載のワイヤーハーネス付パネルであって、
前記パネルは、ドアパネルである、ワイヤーハーネス付パネル。
【請求項４】
請求項３記載のワイヤーハーネス付パネルであって、
前記シートは、サービスホールカバーと防音シートとを含む、ワイヤーハーネス付パネル。
【請求項５】
請求項４記載のワイヤーハーネス付パネルであって、
前記サービスホールカバーと、前記ワイヤーハーネスと、前記防音シートとが、その順で、前記ドアパネルの前記一主面側に配設され、
前記保持部材の押え込み部が、前記防音シートの外面側から前記防音シート、前記ワイヤーハーネス及び前記サービスホールカバーを、前記ドアパネルの一主面に向けて押え込む、ワイヤーハーネス付パネル。
【請求項６】
請求項１〜請求項５のいずれか１つに記載のワイヤーハーネス付パネルであって、
前記保持部材は、一対の棒状部と、前記一対の棒状部の基端部を連結する連結部とを含み、前記一対の棒状部の先端部のそれぞれに前記固定部が設けられると共に、前記連結部に、前記ワイヤーハーネス及び前記シートを押え込む前記押え込み部が設けられている、ワイヤーハーネス付パネル。
【請求項７】
請求項６記載のワイヤーハーネス付パネルであって、
前記一対の棒状部の先端部が尖っている、ワイヤーハーネス付パネル。
【請求項８】
請求項６又は請求項７記載のワイヤーハーネス付パネルであって、
前記保持部材は、前記押え込み部を前記パネルに向けて付勢する弾性部を含む、ワイヤーハーネス付パネル。
【請求項９】
パネルにワイヤーハーネスとシートとを取付けるワイヤーハーネス付パネルの製造方法であって、
シートに保持部材を貫通させて、シートとワイヤーハーネスとが一体化された状態にする工程と、
前記保持部材を前記パネルに固定して、前記保持部材によって前記ワイヤーハーネスと前記シートとを前記パネルに向けて押え込む工程と、
を備えるワイヤーハーネス付パネルの製造方法。
【請求項１０】
それぞれの先端部にパネルに固定可能な固定部が設けられた一対の棒状部と、
前記一対の棒状部の基端部を連結する連結部と、
を備える保持部材。
【発明の詳細な説明】
【技術分野】
【０００１】
この発明は、ワイヤーハーネス及びシートをパネルに取付けるための技術に関する。
【背景技術】
【０００２】
特許文献１は、ワイヤーハーネス及びサービスホールカバーをドアパネルに取付ける技術を開示している。
【０００３】
特許文献１では、ワイヤーハーネスは、クランプによってドアパネルに固定され、サービスホールカバーは、ブチルゴム等によってドアパネルに貼付けられている。
【先行技術文献】
【特許文献】
【０００４】
【特許文献１】特開２０１２−１３０２３０号公報
【発明の概要】
【発明が解決しようとする課題】
【０００５】
しかしながら、特許文献１に開示の技術によると、ワイヤーハーネスを固定する作業と、サービスホールカバーを貼着ける作業とが別々に分れているため、全体の作業工数が多くなってしまうという問題がある。
【０００６】
そこで、本発明は、ワイヤーハーネス及びシートを、より少ない作業工数でパネルに取付けることができるようにすることを目的とする。
【課題を解決するための手段】
【０００７】
上記課題を解決するため、第１の態様に係るワイヤーハーネス付パネルは、パネルと、前記パネルの一主面側に配設されるワイヤーハーネスと、前記パネルの一主面側に配設されるシートと、前記パネルに固定可能な固定部と、前記ワイヤーハーネス及び前記シートを前記パネルに向けて押え込む押え込み部とを含み、前記ワイヤーハーネス及び前記シートを前記パネルの一主面側で保持する保持部材と、を備える。
【０００８】
第２の態様は、第１の態様に係るワイヤーハーネス付パネルであって、前記シートは、防水シート、防音シート及び断熱シートのうちの少なくとも１つを含むものである。
【０００９】
第３の態様は、第１又は第２の態様に係るワイヤーハーネス付パネルであって、前記パネルは、ドアパネルとされている。
【００１０】
第４の態様は、第３の態様に係るワイヤーハーネス付パネルであって、前記シートは、サービスホールカバーと防音シートとを含む。
【００１１】
第５の態様は、第４の態様に係るワイヤーハーネス付パネルであって、前記サービスホールカバーと、前記ワイヤーハーネスと、前記防音シートとが、その順で、前記ドアパネルの前記一主面側に配設され、前記保持部材の押え込み部が、前記防音シートの外面側から前記防音シート、前記ワイヤーハーネス及び前記サービスホールカバーを、前記ドアパネルの一主面に向けて押え込むものである。
【００１２】
第６の態様は、第１〜第５のいずれか１つの態様に係るワイヤーハーネス付パネルであって、前記保持部材は、一対の棒状部と、前記一対の棒状部の基端部を連結する連結部とを含み、前記一対の棒状部の先端部のそれぞれに前記固定部が設けられると共に、前記連結部に、前記ワイヤーハーネス及び前記シートを押え込む前記押え込み部が設けられているものである。
【００１３】
第７の態様は、第６の態様に係るワイヤーハーネス付パネルであって、前記一対の棒状部の先端部が尖っているものである。
【００１４】
第８の態様は、第６又は第７の態様に係るワイヤーハーネス付パネルであって、前記保持部材は、前記押え込み部を前記パネルに向けて付勢する弾性部を含むものである。
【００１５】
第９の態様は、パネルにワイヤーハーネスとシートとを取付けるワイヤーハーネス付パネルの製造方法であって、シートに保持部材を貫通させて、シートとワイヤーハーネスとが一体化された状態にする工程と、前記保持部材を前記パネルに固定して、前記保持部材によって前記ワイヤーハーネスと前記シートとを前記パネルに向けて押え込む工程と、を備える。
【００１６】
第１０の態様に係る保持部材は、それぞれの先端部にパネルに固定可能な固定部が設けられた一対の棒状部と、前記一対の棒状部の基端部を連結する連結部とを備える。
【発明の効果】
【００１７】
第１の態様によると、保持部材によって、ワイヤーハーネスとシートとを、パネルに取付けることができる。このため、ワイヤーハーネス及びシートを、より少ない作業工数でパネルに取付けることができる。
【００１８】
第２の態様によると、シートによって、防水、防音、断熱の少なくとも１つを実現することができる。
【００１９】
第３の態様によると、ドアパネルに対して、ワイヤーハーネス及びシートを、より少ない作業工数でパネルに取付けることができる。
【００２０】
第４の態様によると、ドアパネルに対して、ワイヤーハーネスとサービスホールカバーと防音シートとをより少ない作業工数でパネルに取付けることができる。
【００２１】
第５の態様によると、押え込み部によって、サービスホールカバーと、ワイヤーハーネスと、防音シートとを一括して押え込むことができる。また、サービスホールカバーによって、防水等を図りつつ、ワイヤーハーネスを防音シートで覆うことができる。
【００２２】
第６の態様によると、一対の棒状部の先端部の固定部をパネルに固定した状態で、その基端部の連結部の押え込み部でワイヤーハーネス及びシートを押え込んで保持することができる。このため、ワイヤーハーネス及びシートをよりしっかりと保持することができる。
【００２３】
第７の態様によると、一対の棒状部の先端部をシートに容易に貫通させることができるため、保持部材によるワイヤーハーネス及びシートの保持作業を容易に行える。
【００２４】
第８の態様によると、シート及びワイヤーハーネスをパネルに向けて付勢しつつ押え込むことができる。
【００２５】
第９の態様によると、保持部材によって、シートとワイヤーハーネスとを一体化し、これをパネルに取付けるため、その取付を容易に行える。
【００２６】
第１０の態様によると、一対の棒状部の固定部をパネルに固定すれば、その基端部の連結部によって、ワイヤーハーネス、シート等をパネルに向けて押え込むことができる。このため、ワイヤーハーネスとシートとを、パネルに取付けるのに適する。
【図面の簡単な説明】
【００２７】
【図１】実施形態に係るワイヤーハーネス付パネルを示す概略側面図である。
【図２】同上のワイヤーハーネス付パネルの分解説明図である。
【図３】同上のワイヤーハーネス付パネルの部分断面図である。
【図４】保持部材を示す斜視図である。
【図５】ワイヤーハーネス付パネルの一製造工程を示す説明図である。
【図６】ワイヤーハーネス付パネルの他の製造工程を示す説明図である。
【図７】ワイヤーハーネス付パネルのさらに他の製造工程を示す説明図である。
【図８】第１変形例に係る保持部材を示す図である。
【図９】第２変形例に係る保持部材を示す図である。
【発明を実施するための形態】
【００２８】
以下、実施形態に係るワイヤーハーネス付パネル、ワイヤーハーネス付パネルの製造方法及び保持部材について説明する。図１はワイヤーハーネス付パネル１０を示す概略側面図であり、図２は同ワイヤーハーネス付パネル１０の分解説明図である。
【００２９】
また、ここでは、ワイヤーハーネス付パネル１０が車両におけるドアパネル１２に適用された例で説明するが、適用対象はドアパネルに限られない。例えば、車両におけるインストルメントパネルの裏側にワイヤーハーネスを取付ける場合、車両のルーフの内装パネルにワイヤーハーネスを取付ける場合等にも、適用可能である。
【００３０】
＜全体構成について＞
ワイヤーハーネス付パネル１０は、取付対象となるパネルとしてのドアパネル１２と、ワイヤーハーネス２０と、シートとしてのサービスホールカバー３０及び防音シート４０Ａ、４０Ｂと、保持部材６０とを備える。
【００３１】
ドアパネル１２は、車両における乗員の乗降口を開閉するためのものであり、車体に対してヒンジを介して開閉可能に取付けられている。ドアパネル１２は、金属板をプレス加工、溶接等することによって形成されており、外側パネル部分と、外側パネル部分の車内側に取付けられた内側パネル部分とを含む。内側パネル部分には、開口としてのサービスホール１４が形成されている。ドアパネル１２のうち保持部材６０が固定される箇所のそれぞれには、一対の固定孔１６が形成されている。
【００３２】
ワイヤーハーネス２０は、複数の電線を含む。ここでは、ワイヤーハーネス２０は、複数の電線が分岐しつつ結束された構成とされている。電線の端部には、コネクタ２２等が取付けられている。本ワイヤーハーネス２０は、ドアパネル１２の一主面側（車内を向く面側）に配設され、当該ドアパネル１２に組込まれる電気部品（スピーカ、スイッチ、ドアロック及びウインドウ開閉用のアクチュエーター）等に電気的に接続される。なお、ワイヤーハーネス２０の一部分は、ドアパネル１２の他主面側（より具体的には、外側パネル部分と内側パネル部分との間に案内されることがあり得る）。
【００３３】
サービスホールカバー３０及び防音シート４０Ａ、４０Ｂは、上記ドアパネル１２の一主面側に配設される部材である。ここでは、サービスホールカバー３０と、ワイヤーハーネス２０と、防音シート４０Ａ、４０Ｂとが、この順でドアパネル１２の一主面側に配設されている。換言すれば、サービスホールカバー３０と防音シート４０Ａ、４０Ｂとの間にワイヤーハーネス２０が挟込まれ、サービスホールカバー３０をドアパネル１２側に配設すると共に防音シート４０Ａ、４０Ｂを車内側に配設した状態で、サービスホールカバー３０と、ワイヤーハーネス２０と、防音シート４０Ａ、４０Ｂとが、ドアパネル１２の一主面側に配設されている。
【００３４】
サービスホールカバー３０は、柔軟性を有するシート状部材であり、例えば、ポリエチレンシート等によって構成されている。本サービスホールカバー３０は、ドアパネル１２のうち少なくともサービスホール１４が形成された領域を覆える形状に形成されている。そして、本サービスホールカバー３０がドアパネル１２の一主面側に配設されることによって、サービスホールカバー３０がサービスホール１４を覆い、もって、サービスホール１４を通じた水、塵等の浸入を抑制する。すなわち、本サービスホールカバー３０は、防水シートとしての役割と、防塵シートとしての役割を有している。
【００３５】
なお、本サービスホールカバー３０には、切れ目３２が形成され、ワイヤーハーネス２０の一部の端部が当該切れ目３２を貫通してドアパネル１２側に引込まれている。これにより、ワイヤーハーネス２０の一部の端部のコネクタ２２を、ドアパネル１２内の電気機器等にも容易に接続できる。
【００３６】
防音シート４０Ａ、４０Ｂは、柔軟性を有するシート状の防音材である。防音シート４０Ａ、４０Ｂとしては、例えば、不織布又は発泡シート等を用いることができる。このような防音シート４０Ａ、４０Ｂは、防音性だけではなく、断熱性をも有しているため、断熱シートであるとも捉えることができる。
【００３７】
２つの防音シート４０Ａ、４０Ｂは、ドアパネル１２の一主面側を部分的に覆える形状に形成されている。ここでは、２つの防音シート４０Ａ、４０Ｂは、サービスホール１４に対応する領域に形成されている。防音シート４０Ａ、４０Ｂの形状、大きさは、ドアパネル１２において防音が要請される箇所、防音シート４０Ａ、４０Ｂを配設可能なスペースの位置、大きさ等に応じて設定される。
【００３８】
なお、本実施形態では、ドアパネル１２の一主面側に配設されるシートとして、サービスホールカバー３０と防音シート４０Ａ、４０Ｂとを想定しているが、ドアパネル１２の一主面側は、少なくとも１枚のシートが配設されればよい。シートとしては、防水シート、防音シート及び断熱シートのうちの少なくとも１つを含むことが想定される。
【００３９】
保持部材６０は、上記ワイヤーハーネス２０、サービスホールカバー３０及び防音シート４０Ａ、４０Ｂを、ドアパネル１２の一主面側で保持するための部材である。この保持部材６０については、後でさらに詳述する。
【００４０】
なお、ドアパネル１２の一主面側には、樹脂等で形成された内装パネル５０（ドアトリムとも呼ばれる）が取付けられる。ワイヤーハーネス２０、サービスホールカバー３０及び防音シート４０Ａ、４０Ｂは、ドアパネル１２と内装パネル５０との間に配設される。
【００４１】
＜保持部材について＞
保持部材６０及び保持部材６０による保持構造について説明する。図３はワイヤーハーネス付パネル１０の部分断面図であり、図４は保持部材６０を示す斜視図である。
【００４２】
保持部材６０は、一対の棒状部６２と、連結部７０とを備える。ここでは、保持部材６０は、樹脂によって一体的に金型成形された部品であるが、複数の部品が合体することによって構成されていてもよい。
【００４３】
一対の棒状部６２は、直線棒状に形成されている。ここでは、棒状部６２は、その延在方向に対して直交する面における横断面形状が方形状を呈する棒状に形成されている。棒状部６２の先端部には、ドアパネル１２に固定可能な固定部６４が設けられている。ここでは、固定部６４は、棒状部６２の先端部の外面に突設された抜止め突部６５と、当接突部６６とを含む。抜止め突部６５の外向きの面は、棒状部６２の先端側に向けて内向き傾斜する傾斜面６５ｆ１に形成されており、抜止め突部６５の基端側の面は、棒状部６２の基端側に向く当接面６５ｆ２に形成されている。当接突部６６は、抜止め突部６５よりも間隔をあけて棒状部６２の基端側に位置するように形成されている。抜止め突部６５は、棒状部６２の延在方向において、中間部で最も突出寸法が高く、その両側に向けて徐々に突出寸法が小さくなる形状に形成されている。
【００４４】
棒状部６２の先端部に形成される固定部６４の構成は、上記例に限られない。例えば、棒状部の先端部に当該先端部から基端側に向けて外向き傾斜する係止片が延設され、当該延設片が固定部に抜止め係止する構成等であってもよい。
【００４５】
連結部７０は、一対の棒状部６２の基端部を連結するように構成されている。ここでは、連結部７０は、半円弧状に延在する棒状に形成されており、その先端部に一対の棒状部６２が平行状態となるように連設されている。従って、保持部材６０を全体として見ると、Ｕ字状を描く形状に形成されている。
【００４６】
一対の棒状部６２の間隔は、ドアパネル１２に形成された一対の固定孔１６に応じた間隔である。また、一対の棒状部６２の内向き面の間隔寸法Ｗ１は、保持対象となるワイヤーハーネス２０の外径寸法Ｗ２と同じかこれよりも大きく、一対の棒状部６２の外向き面間の間隔寸法Ｗ３は、一対の固定孔１６のそれぞれの外側の縁部の間隔寸法Ｗ４と同程度か小さい（僅かに小さい）程度に設定されている。そして、当該一対の棒状部６２を一括して一対の固定孔１６に挿入できるようになっている。また、一対の棒状部６２を一対の固定孔１６に挿入する際には、抜止め突部６５の傾斜面６５ｆ１が一対の固定孔１６の外側の縁部に当接することで、一対の棒状部６２の先端部が内向きとなるように保持部材６０が弾性変形し、抜止め突部６５が一対の固定孔１６の外側の縁部を乗越えると、一対の棒状部６２が元の平行状態となるように保持部材６０が弾性変形する。この状態では、棒状部６２の挿入方向先端側では、抜止め突部６５が固定孔１６の周縁部に抜止め状に当接可能な状態となり、棒状部６２の挿入方向手前側では、当接突部６６が固定孔１６の周縁部に対して当接可能な状態となる。従って、一対の棒状部６２は、一対の固定孔１６に挿入することで、ドアパネル１２に対して固定できる構成とされている。
【００４７】
また、連結部７０には、ワイヤーハーネス２０、サービスホールカバー３０及び防音シート４０Ａ、４０Ｂを押え込む押え込み部７２が設けられている。ここでは、連結部７０の全体が押え込み部７２である。
【００４８】
すなわち、ドアパネル１２の一主面の外方から、一対の棒状部６２が、ワイヤーハーネス２０を挟む位置で、防音シート４０Ａ、４０Ｂ及びサービスホールカバー３０を貫通するように挿入される。そして、一対の棒状部６２がドアパネル１２の一対の固定孔１６に挿入固定された状態では、押え込み部７２は、ワイヤーハーネス２０の固定対象部分をその幅方向で跨ぐ位置で、防音シート４０Ａ、４０Ｂの外向き面上に配設される。これにより、押え込み部７２は、一対の棒状部６２間の部分で、防音シート４０Ａ、４０Ｂの一部分、ワイヤーハーネス２０の一部分及びサービスホールカバー３０を、ドアパネル１２に向けて押え込む。これにより、ワイヤーハーネス２０及びサービスホールカバー３０及び防音シート４０Ａ、４０Ｂがドアパネル１２の一主面側で保持される。
【００４９】
なお、ワイヤーハーネス２０、サービスホールカバー３０、防音シート４０Ａ、４０Ｂの他の部分が、他の保持部材等によってドアパネル１２の一主面側に保持されてもよい。例えば、ワイヤーハーネス２０が他のクランプ部材等で、ドアパネル１２に固定されてもよい。また、サービスホールカバー３０の他の部分、又は、防音シート４０Ａ、４０Ｂの他の部分が、接着剤、両面テープ、ブチルテープ等の自己融着テープ等によって、ドアパネル１２の一主面又は他の部分に固定保持されていてもよい。図１及び図２においても、サービスホールカバー３０の周囲が、ブチルテープ等の自己融着テープ３８によって、ドアパネル１２の一主面に貼付けられている。
【００５０】
＜ワイヤーハーネス付パネルの製造方法について＞
上記ワイヤーハーネス付パネル１０の製造方法例について説明する。
【００５１】
まず、サービスホールカバー３０上にワイヤーハーネス２０を配設し、その上に防音シート４０Ａ、４０Ｂを配設する（図５参照）。
【００５２】
そして、保持部材６０の一対の棒状部６２を、間にワイヤーハーネス２０を挟む位置で、防音シート４０Ａ、４０Ｂに貫通させ、続いて、一対の棒状部６２をサービスホールカバー３０に貫通させる（図６参照）。なお、防音シート４０Ａ、４０Ｂは、不織布等の柔らかい材料で形成されており、サービスホールカバー３０は比較的薄いシート材料によって形成されているため、一対の棒状部６２は、容易に防音シート４０Ａ、４０Ｂ及びサービスホールカバー３０を貫通していくことができる。なお、一対の棒状部６２は、当接突部６６がサービスホールカバー３０から出るまで貫通される。
【００５３】
これにより、図７に示すように、一対の棒状部６２が防音シート４０Ａ、４０Ｂ及びサービスホールカバー３０を貫通して、防音シート４０Ａ、４０Ｂとサービスホールカバー３０とが重ね合せれた状態で保持され、かつ、防音シート４０Ａ、４０Ｂとサービスホールカバー３０との間でワイヤーハーネス２０が保持される。つまり、防音シート４０Ａ、４０Ｂとサービスホールカバー３０との間にワイヤーハーネス２０が挟込まれて一体化された集合部品を得ることができる。なお、上記状態では、ワイヤーハーネス２０は、サービスホールカバー３０に対して所定の配線経路に沿って配設されている。
【００５４】
そして、上記集合部品をドアパネル１２の一主面側に配設し、保持部材６０の一対の棒状部６２を、ドアパネル１２の一対の固定孔１６に挿入して固定する。これにより、保持部材６０によって、サービスホールカバー３０と、ワイヤーハーネス２０と、防音シート４０Ａ、４０Ｂとが、ドアパネル１２の一主面側に保持される。
【００５５】
なお、サービスホールカバー３０の周縁部等は、自己融着テープ３８によって、ドアパネル１２の一主面に貼付け固定される。
【００５６】
この後、内装パネル５０がドアパネル１２の一主面側に固定される。
【００５７】
＜効果等＞
以上のように構成されたワイヤーハーネス付パネル１０、ワイヤーハーネス付パネル１０の製造方法及び保持部材６０によると、保持部材６０によって、ワイヤーハーネス２０と、サービスホールカバー３０と、防音シート４０Ａ、４０Ｂとを、ドアパネル１２の一主面側に取付けることができる。このため、それらをより少ない作業工程でドアパネル１２に取付けることができる。
【００５８】
なお、保持部材６０を設けた箇所では、ワイヤーハーネス２０と、サービスホールカバー３０と、防音シート４０Ａ、４０Ｂとの取付構造を共通化することができるため、その意味において作業工程を少なくすることができる。従って、ワイヤーハーネス２０、サービスホールカバー３０、防音シート４０Ａ、４０Ｂが、その他の部分で、その他の構成によって、ドアパネル１２等に取付け固定されていてもよい。
【００５９】
また、ここでは、保持部材６０の押え込み部７２が、防音シート４０Ａ、４０Ｂの外面側から防音シート４０Ａ、４０Ｂ、ワイヤーハーネス２０及びサービスホールカバー３０を、ドアパネル１２の一主面に向けて一括して押え込んで保持することができる。また、サービスホールカバー３０によって防水等を図りつつ、ワイヤーハーネス２０を防音シート４０Ａ、４０Ｂで覆うことができる。
【００６０】
また、保持部材６０は、防音シート４０Ａ、４０Ｂ及びサービスホールカバー３０を貫通してドアパネル１２に固定されるため、その固定箇所が、サービスホールカバー３０の配設領域等によって制約され難くなり、ドアパネル１２に対するワイヤーハーネス２０のレイアウト自由度が向上する。このため、例えば、サービスホール１４近くでワイヤーハーネス２０を押え込んで支持し、当該ワイヤーハーネス２０を、サービスホール１４を横切るように配設することも可能となる。
【００６１】
また、ワイヤーハーネス２０が、サービスホールカバー３０と防音シート４０Ａ、４０Ｂとで挟まれるため、ワイヤーハーネス２０とその周辺部材との接触による異音抑制、干渉抑制を図ることもできる。
【００６２】
また、保持部材６０が、先端部に固定部６４が設けられた一対の棒状部６２と、一対の棒状部６２の基端部を連結する連結部７０とを含み、連結部７０に設けられた押え込み部７２によってワイヤーハーネス２０、防音シート４０Ａ、４０Ｂ及びサービスホールカバー３０を押え込むようにしている。このため、保持部材６０は、一対の棒状部６２の先端部の固定部６４によってしっかりとドアパネル１２に固定され、また、その固定部６４の間の連結部７０によってワイヤーハーネス２０、防音シート４０Ａ、４０Ｂ及びサービスホールカバー３０をしっかりと保持することができる。
【００６３】
また、上記製造方法においては、保持部材６０をサービスホールカバー３０及び防音シート４０Ａ、４０Ｂに貫通させて、それらとワイヤーハーネス２０とが一体化された状態とし、これをドアパネル１２に取付けるようにしているため、当該取付作業を容易に行える。
【００６４】
＜変形例＞
上記保持部材６０に係る変形例について説明する。
【００６５】
図８は第１変形例に係る保持部材１６０を示す図である。
【００６６】
この保持部材１６０が、上記保持部材６０と異なるのは次の点である。
【００６７】
まず、一対の棒状部６２に対応する一対の棒状部１６２の先端部１６２ａが尖っている。より具体的には、棒状部１６２の先端部の外面が先端側に向けて内向き傾斜することで、一対の棒状部１６２の先端部が尖っている。このため、一対の棒状部１６２を、サービスホールカバー３０、防音シート４０Ａ、４０Ｂ等に容易に貫通させることができ、それらの保持作業を容易に行える。
【００６８】
また、連結部７０に対応する連結部１７０の延在方向中央部に、保持部材１６０の先端側に向けて突出するＵ字状の弾性部１７４が設けられている。この弾性部１７４の先端部が押え込み部１７２として機能する。
【００６９】
すなわち、本保持部材１６０によって、上記保持部材６０と同様に、防音シート４０Ａ、４０Ｂ、ワイヤーハーネス２０及びサービスホールカバー３０を押え付けようとすると、弾性部１７４の先端部の押え込み部１７２が防音シート４０Ａ、４０Ｂの外面に押付けられる。すると、弾性部１７４のＵ字状の先端部が内側に曲るように弾性変形する。なお、一対の棒状部１６２は、ワイヤーハーネス２０の外径、防音シート４０Ａ、４０Ｂの厚み等に応じて、弾性部１７４を弾性変形させつつ、押え込み部１７２によってそれらを押え込みできる程度の長さ寸法に設定されている。
【００７０】
これにより、防音シート４０Ａ、４０Ｂ、ワイヤーハーネス２０及びサービスホールカバー３０を、付勢しつつ押え込むことができ、それらをより強固に、かつ、がたつきを抑制しつつ押え込むことができる。
【００７１】
なお、本変形例では、当接突部６６が省略されているが、勿論、省略されなくてもよい。
【００７２】
図８は第２変形例に係る保持部材２６０を示す図である。
【００７３】
この保持部材２６０が、上記保持部材１６０と異なるのは次の点である。
【００７４】
すなわち、連結部７０は、上記実施形態における構成と同様とされている。そして、連結部７０の両端部と一対の棒状部１６２との各間に弾性部２７４が設けられている。ここでは、弾性部２７４は、一対の棒状部１６２間に向けて突出するＵ字状部分に形成されている。そして、この弾性部２７４がその弧状部分を中心に弾性変形することで、上記第１変形例と同様に、押え込み部７２が、防音シート４０Ａ、４０Ｂ、ワイヤーハーネス２０及びサービスホールカバー３０を、付勢しつつ押え込むことができ、それらをより強固に、かつ、がたつきを抑制しつつ押え込むことができる。
【００７５】
なお、本実施形態及び各変形例では、保持部材６０、１６０、２６０は、一対の棒状部６２、１６２を備えているが、棒状部が１つの構成、例えば、Ｊ字形状の部材に形成され、その直線部分の先端部でドアパネルに固定され、湾曲部分でワイヤーハーネス、シート等を押え込む構成とされていてもよい。
【００７６】
なお、上記実施形態では、押え込み部７２は、シートである防音シート４０Ａ、４０Ｂを介してワイヤーハーネス２０を押え付けているが、防音シート４０Ａ、４０Ｂが省略された場合等には、押え込み部７２が直接ワイヤーハーネス２０を押え込むようにしてもよい。
【００７７】
なお、上記実施形態及び各変形例で説明した各構成は、相互に矛盾しない限り適宜組合わせることができる。
【００７８】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７９】
１０  ワイヤーハーネス付パネル
１２  ドアパネル
１６  固定孔
２０  ワイヤーハーネス
３０  サービスホールカバー
４０Ａ、４０Ｂ  防音シート
６０、１６０、２６０  保持部材
６２、１６２      棒状部
６４  固定部
７０、１７０  連結部
７２、１７２  押え込み部
１６２ａ  先端部
１７４、２７４  弾性部
【図１】
2015050855.tif 000003
【図２】
2015050855.tif 000004
【図３】
2015050855.tif 000005
【図４】
2015050855.tif 000006
【図５】
2015050855.tif 000007
【図６】
2015050855.tif 000008
【図７】
2015050855.tif 000009
【図８】
2015050855.tif 000010
【図９】
2015050855.tif 000011